Podtech/llm-jp-corpus-v4-ja_patent huggingface dataset:
(57)【要約】      （修正有）【課題】草刈作業には草刈り対象により、草刈機による機械作業や鎌を使用して人力による手引き作業に大別され、手引きによる草取り鎌作業で、安全に長時間の作業でも、効率よく草を根こそぎ除去しやすくするスライド式草刈鎌を提供する。【解決手段】このスライド式鎌は鎌を地面に押し当てて引くだけで草を根こそぎ刈り取ることが出来、スライド式鎌の３つの要点は、草に食い込む角度を付けた刃と、刃を支える支持具３と、取手部分には保護カバー４を付けることで手のスリ傷予防の役目と鎌の安定にも寄与して、支持具の先端は地面を滑りやすいようにアール形状とする。【選択図】図１
0003222743.tif 000002
【実用新案登録請求の範囲】
【請求項１】
柄の先端に刃が設けられた草刈鎌であって、前記柄の前記刃の付け根に、前記付け根を水平面から一定高さに浮かせる支持具が取り付けられ、前記柄の取手には前記草刈鎌を手前に引くときに、前記取手を握る手を保護する保護カバーが、前記柄に沿って設けられている草刈鎌。
【請求項２】
前記支持具の先端が前記柄の長手方向に沿って円形に形成され、前記保護カバーが前記柄から下向きにＵ次状に形成されている、請求項１に記載の草刈鎌。
【考案の詳細な説明】
【技術分野】
【０００１】
本考案は、手に持って草を刈る草刈鎌を長時間使用しても疲れない草刈鎌に関するものである。
【背景技術】
【０００２】
手に持って使用する従来の鎌は、取手を持って刃先を草にあててひくことで草刈を行っていた。
【考案の概要】
【考案が解決しようとする課題】
【０００３】
草刈は一般的に刈払機の機械を使ってやる時と鎌等を用いてしゃがんでやる場合に大別される。しかし、農作物の間の草刈や芝生の中の草刈等、機械を使用することで草以外の物を傷つけてしまうおそれがある時は、手引きによる草刈が主流である。その時に狭い範囲の草刈ならば手や体に負担も少なくてすむが、公園等の緑地管理等作業に従事した場合、草刈作業時間が長く、体への負担も大きい、そうした体への負担を軽減して、草刈作業を効率良くすることを課題とする。
【課題を解決するための手段】
【０００４】
本考案に係る草刈鎌は、柄の先端に刃が設けられた草刈鎌であって、前記柄の前記刃の付け根に、該付け根を水平面から一定高さに浮かせる支持具が取り付けられ、前記柄の取手には前記草刈鎌を手前に引くときに、前記取手を握る手を保護する保護カバーが、前記柄に沿って設けられている。
【考案の効果】
【０００５】
本考案に係る草刈鎌によれば、柄を水平方向にスライドさせるだけで草を刈ることができるから、体への疲労低減と作業効率をアップさせることが出来る。
【図面の簡単な説明】
【０００６】
【図１】本考案に係る草刈鎌の一実施例を示す外観斜視図である。
【図２】本考案に係る草刈鎌の正面図である。
【考案を実施するための形態】
【０００７】
本考案に係る草刈鎌１０は、図１に示すように、柄１と、柄１の先端部に取り付けられた刃２と、刃２の付け根６に取り付けられて、その付け根６を水平面から浮かせる支持具３と、柄１の取手５に取り付けられて、柄１を握る手を保護する保護カバー４とを備えている。
【実施例】
【０００８】
刃２は、鋼入りの、平面視湾曲した両刃で構成され、その付け根６には、図２に示すように、支点具３が取り付けられている。この支持具３は、柄１の先端部、すなわち、刃２の付け根６に巻かれた補強金具に溶接されている。また、この支持具３の地面と接する先端部には、草刈鎌１０を水平方向にスライドさせるときに、地面からの抵抗を低減させる円弧部又は円形部が、柄１の長手方向に沿って形成されている。
【０００９】
また、この支持具３の長さは、略１０ｃｍとし、草を刈るときは、刃２の刃先が地面と略平行になり、そこから付け根６に向かって次第に傾斜角度が増大する形状に形成されている。但し、図２では、刃２の刃先だけを略水平に曲げているが、好ましくは、刃先から付け根６に向かって傾斜角度が漸次増すように形成されているのが良い。
【００１０】
柄１は、木製で、柄１の取手５には、円筒状の金属製カバーが被せられ、その金属製カバーに側面視U字状又は凹状の保護カバー４が溶接されている。この保護カバー４は、取手５を握る手を保護するもので、図面では、棒状の金属を湾曲させているが、これに替えて、船底のように湾曲した形状であっても良い。また、保護カバー４の下部は、使用するときに、柄１が水平になるような高さに設定されている。
使用に際しては、取手４を握り、刃２の刃先を地面に付けた状態にすると、柄１が水平になるとともに、支持具３の先端と、刃２の刃先と、保護カバー４の３点で支持されるから、その状態で草刈鎌１０を水平に引くと、楽に根本から雑草を切断することができる。したがって、しゃがんだ姿勢のまま、草刈鎌１０を水平方向に往復させても、疲れない効果がある。
【００１１】
図２の正面図に示すように、刃先２と支持具３の取り付け角度は約９０度が好ましい、そしてその中心に保護カバー４の底辺が来るように組み立てることにより草刈鎌１０が３点で地面に接することにより、上部から手に力を込めて草刈鎌１０を引いても安定して、安全に作業が出来る。
【００１２】
草刈鎌には、ねじり鎌、ノコギリ鎌、草削鎌、三日月鎌等があるが、本考案は何れの鎌にも適用出来るものである。
【符号の説明】
【００１３】
１    柄
２    刃先
３    支持具
４    保護カバー
５    取手
６    付け根
１０    草刈鎌                                                 
【図１】
0003222743.tif 000003
【図２】
0003222743.tif 000004
(57)【要約】      （修正有）【課題】自力による背後と足裏の同時指圧健康器具を提供する。【解決手段】座椅子又は普通椅子の背後に指圧の為の凸凹が付いた板状部品と紐又はゴム紐又はスプリングで繋いだ指圧の為の凸凹がつく。【選択図】図１
0003222710.tif 000002
【実用新案登録請求の範囲】
【請求項１】
座椅子又は普通椅子（以後椅子）の背後に指圧の為の凹凸が付いた板状部品と紐又はゴム紐又はスプリング（以後紐）で繋いだ指圧の為の凹凸のついた足ふみ用の部品のセットの健康器具
【考案の詳細な説明】
【技術分野】本発明の椅子に座りながら背後指圧器具と足裏指圧器具を紐で引っ張る力を利用した健康器具
【図面の簡単な説明】
【図１】座椅子として使用した場合
【図２】普通椅子として使用した場合
【符号の説明】（書類名）図１の説明
１  本発明の本体
２  紐をレール又は金具で這わせる為の土台
３  椅子本体のパイプ管を利用して紐を中に潜らせるパイプ管
４  背後指圧器具付き背もたれ若干前後に動く
５  ３が前後に動くための間接部品
６  背もたれと足裏指圧器具繋ぐ紐
７  紐を這わせるレールと紐を潜らせる金具
８  足裏指圧器具
（書類名）図２の説明
１  本発明の本体を普通椅子に乗せた状態
２  指圧器具付き背もたれ
３  紐で繋いだ足裏指圧器具で足を曲げて座った状態
４  運動の為に足を伸ばした状態
【図１】
0003222710.tif 000003
【図２】
0003222710.tif 000004
(57)【要約】      （修正有）【課題】車体を必要に応じ伸縮することで、荷物を多く運べるようになったり、駐停車しやすくできる伸縮式小型自動車を提供する。【解決手段】車体のシャーシに、モーターと連動したワイヤーを設け、車体を必要に応じて伸縮式にすることで、荷物を多く運んだり、狭い場所でも駐停車しやすくする。【選択図】図１
0003222703.tif 000002
【実用新案登録請求の範囲】
【請求項１】
自動車の車体を伸縮式にするところを特徴とする伸縮式小型自動車。
【考案の詳細な説明】
【技術分野】
【０００１】
本考案は、車体が伸縮する小型自動車に関するものである。
【考案の概要】
【考案が解決しようとする課題】
【０００２】
小型自動車は、荷物を多く運びたい場合は、荷台を広くとりたいが、荷物が少なく、都市部などの駐停車する場所が小さい場合には車体を小さくしたい。従って、車体を必要に応じ伸縮することで、荷物を多く運べるようになったり、駐停車しやすくなったりして、前述の欠点を解決しようとするものである。
【課題を解決するための手段】
【０００３】
本考案は、小型自動車のシャーシにモーターと連動したワイヤーで車体を伸縮させることで、荷物を運ぶ際は車体は伸びて、より多くの荷物を運ぶことが可能となり、荷物が少なく、駐停車する際は車体は縮小して、狭い場所でも駐停車を可能とすることで問題点を解決している。
【考案の効果】
【０００４】
上述の様に、本考案の伸縮式小型自動車は、荷物を多く運べるようになるだけでなく、狭い場所でも駐停車をしやすくなることに役立つ。
【図面の簡単な説明】
【０００５】
【図１】本考案の伸縮式自動車の車体が拡大した場合の側面図である。
【図２】本考案の伸縮式自動車の車体が縮小した場合の側面図である。
【図１】
0003222703.tif 000003
【図２】
0003222703.tif 000004
【手続補正書】
【提出日】令和1年6月26日(2019.6.26)
【手続補正１】
【補正対象書類名】実用新案登録請求の範囲
【補正対象項目名】全文
【補正方法】変更
【補正の内容】
【実用新案登録請求の範囲】
【請求項１】
自動車の車体のシャーシに、モーターと連動したワイヤーで車体を伸縮させるところを特徴とする伸縮式小型自動車。
(57)【要約】      （修正有）【課題】外から一見してペットの遺骨とわからないように収納することができる写真立てを提供する。【解決手段】写真立ては、ペットの遺骨又は遺品が収納される収納部材２と収納部材２を載置又は収納する基材１と、収納部材２を実質的に隠すように配置された装飾部材３と、基材１と関連づけて配置される写真６と、を備える。【選択図】図３
0003222701.tif 000002
【実用新案登録請求の範囲】
【請求項１】
ペットの遺骨又は遺品が収納される収納部材と
前記収納部材を載置又は収容する基材と
前記収納部材を実質的に隠すように配置された装飾部材と
前記基材と関連づけて配置される写真と、を備える
写真立て。
【請求項２】
さらに前記収納部材に関連づけて配置される人形を備える請求項１に記載される写真立て。
【請求項３】
前記人形が前記ペットに似せた人形である請求項２に記載の写真立て。
【考案の詳細な説明】
【考案の詳細な説明】
【技術分野】近年のペットブームにおける家族の中でのペットの位置づけは大変大きなものになっている。そんな中いつもペットを身近に感じていたい願望をかなえるためにペットをかたどった人形と写真立てを一体化することにより一層、ペットとの密着度を高める事ができる。
それに加えペットが亡くなった場合、亡きペットのミニ祭壇としてコンパクトにペットの思い出を飾ることができる。【０００１】本考案はペットの遺骨又は遺品が収納される収納部材を備えた装飾付き写真立てである。【０００２】近年のペットブームにおける家族の中でのペットの位置づけは大変大きなものになっている。そんな中いつもペットを身近に感じていたい願望をかなえるためにペットをかたどった人形と写真立てを一体化することによりより一層  ペットとの密着度を高める事ができる。
それに加えペットが亡くなった場合、亡きペットのミニ祭壇としてコンパクトにペットの思い出を飾ることができる。【０００３】
【考案の概要】
【考案が解決しようとする課題】
【０００４】亡くなったペットの遺骨を長期間、遺骨とわかる状態で置いたままの状態は来客時など第三者からみて驚いたり違和感をおぼえる人も少なくない。そこで飼い主にとってもペットの遺骨又は遺品の保管は課題である。近年のペットブームにおいて飼い主のペットと片時も離れたくないという思いと家族の一員ということを自他ともに表現したい思いが強いように思われる。ことにペットが亡くなった場合はペットロスという現象が起きることも多数みうけられる。そこで自宅に亡きペットの思い出を飾る飼い主は多いがペットの死を受け入れるという気持ちの切り替えの面でもうまくいかないと考えられる。
【課題を解決するための手段】
【０００５】ペットの遺骨又は遺品が収納される収納部材と前記収納部材を装飾する装飾部材とを基材が備えており前記収納部材の近傍にペットをかたどった人形を配置し前記装飾部材で前記収納部材を隠すように配置し略上部に写真を配置した装飾付き写真立て。
【考案の効果】
【０００６】装飾部分を用いて隠すことによって外から一見してペットの遺骨とわからないように収納することができる。また遺骨・写真・人形を装飾を施しまとめて飾ることでペットの思い出を効率よく省スペースに飾りつつ収納もできるミニ祭壇コーナーを作ることができる。
【図面の簡単な説明】
【０００７】
【図１】本考案に係る装飾付き写真立ての器型の実施例を示す正面図である。
【図２】本考案に係る装飾つき写真立ての概略的断面図である。
【図３】本考案に係る他の実施に係る形態の説明図である。
【図４】本考案に係る装飾付き写真立ての板状の基材の写真立てのを示す実施例である。
【考案を実施するための形態】
【０００８】亡くなったペットの遺骨を長時間置いたままにしておくのは来客時などで第三者からみて驚いたり違和感を覚えることも少なくない。
また飼い主の精神面でもペットの死を受け入れるという気持ちの切り替えもうまくいかない場合もある。そこでペットの遺骨又は遺品・写真・人形を装飾して、写真立てとしてまとめることでコンパクトかつ有意義にペットの思い出を飾りつつ収納することができる。
【０００９】本考案の写真立ての一形様はペットの遺骨が収納される収納部材２（説明の便宜上点線で図示している）を隠すように配置されている装飾部材３を基材１が備えている。また収納部材２の近傍にペットをかたどった人形５を配置し、この人形５の上部に写真を固定するピン４を設けている。
【００１０】また、図４に示すように本考案の他の態様では、写真を固定するピンを使わず写真を入れる木枠６で囲む形態も実施できる。
【００１１】他の実施の形態ではピンの代わりに写真を入れる木枠６で囲んだものである。
【００１２】収納部材２とは蓋付きのケ−スである。
【００１３】収納部材１としては容器タイプ、立法体、球体など特にその形態は限定されない。図１では容器タイプとして収納部材１を構成しているがこれに限定されるものではない。この収納部材１としては透明でなく内部が見えない材質で形成されていることが好ましい。
【００１４】装飾部材３としては生花・造花・ドライフラワー・プリザーブドフラワー、動物や魚、昆虫などの生き物をあしらった置物、天然石、プラスチック製の装飾物などを種々の物を使用することができる。
【００１５】装飾部材３は収納部材２を隠すように配置されていることがのぞましい。
【００１６】ペットをかたどった人形５は収納部材２の近傍に配置され装飾部材３より略上部に配置されることが好ましい。
【００１７】なお、図５〜図７で示すように人形が配置されていない装飾部材３が設けられた態様であっても装飾部材３を用いて隠すことによって外から一見してペットの遺骨とわからないように収納することができる
【符号の説明】
【００１８】１  基材
２  収納部材
３  装飾部材
４  写真を固定するピン
５  ペットをかたどった人形
６  写真を入れる木枠
【図１】
0003222701.tif 000003
【図２】
0003222701.tif 000004
【図３】
0003222701.tif 000005
【図４】
0003222701.tif 000006
【図５】
0003222701.tif 000007
【図６】
0003222701.tif 000008
【図７】
0003222701.tif 000009
【手続補正書】
【提出日】令和1年6月21日(2019.6.21)
【手続補正２】
【補正対象書類名】明細書
【補正対象項目名】０００７
【補正方法】変更
【補正の内容】
【０００７】
【図１】本考案に係る装飾付き写真立ての器型の実施例を示す正面図である。
【図２】本考案に係る装飾付き写真立ての概略的断面図である。
【図３】本考案に係る他の実施に係る形態の説明図である。
【図４】本考案に係る装飾付き写真立ての板状の基材の写真立ての実施例である。
【図５】本考案に係る人形なしの装飾付き写真立ての器型の実施例を示す正面図である。
【図６】本考案に係る人形なしの装飾収納部材付き写真立ての実施例を示す正面図である。
【図７】本考案に係る人形なしの装飾付き写真立ての板状の基材の写真立ての実施例である。
(57)【要約】      （修正有）【課題】風邪インフルエンザ、ＰＭ２．５黄砂花粉症を予防するとともに、バイクディーゼル車ガソリン等の排気ガスの気分の悪い臭いもおさえる事ができるダブルマスクを提供する。【解決手段】ダブルマスクは、長方形のマスクきじが上下２段に別れ、耳あてひもは４本が２本にまとめられ、各長方形の部分にそれぞれ消臭剤が入るすき間がもうけられ、消臭剤は呼吸がしやすい様に鼻と口の部分が薄く造られている。ダブルマスク＋消臭剤２コセット入りの新しいタイプのマスクである。【選択図】図１
0003222788.tif 000002
【実用新案登録請求の範囲】
【請求項１】
［商品名］［考案の名称］［図面１］［明細書１］の全ての内容文の説明書をだいたいわかりやすくして付属説明書をラベル表に付属簡潔印刷書付で販売する事。使用者にとってわかりやすくする為。箱に説明書を書いたり付ぞくしても良い。
【請求項２】
（ａ）販売先はデパート系の化粧品売場及びマスク売場の２ヶ所で販売する。
（ｂ）販売先はマツモトキヨシ（株）スギ薬局等の薬局全店に高級マスク製作メーカー等が上記記載の［請求項１］の内容全てと［請求項２］の（ａ）（ｂ）店他ホームセンター系百貨店，東京１０９（株）等の化粧品売場及びマスク売場の２ヶ所で販売する。
○尚化粧品売場では好みの香水も一緒に販売する事が特典となる。
（無臭の消臭剤の場合は。）無臭の消臭剤５コ入り別売セットなども。有臭消臭剤も
【請求項３】
○尚世界実用新案にする場合は中国その他の主要都市各国で販売しその費用、実務士代金は製造メーカー各社等で割り商品開発費用で世界実用新案登録してもらう事とする。のが希望です。
【請求項４】
○特に
女性からはやり女子アナウンサー女子芸能人から看護系医療系先生系子供等女学生系  眼科・歯医者事務系から男性諸君へとはやり出すと予定しています。
【請求項５】
○近未来〜未来的には３重マスク式〜１６重以上のマスク式になるであろうと思います。
○尚高れい化社会にどんどんなるので介護士看護士等が特に近い未来に使用する事となる。
【考案の詳細な説明】
【０００１】［明細書１］
［図面１］又は［考案の名称］内上記記載済の上下のマスクの２ヶ所上部のすき間に薄めの無臭等の消臭剤を入れたり出したりできる様その人の都合によってできる様になる（２個共とか１個だけとか２個共無しとか。又は１個残して上側の消臭剤と取り鼻呼吸を良くするとか２個共取りはずし１枚又は２枚を顎の首前にひっかける事により口鼻が自由自在に風邪ウィイルスＰＭ２．５黄砂花粉等の予防等を使用者の頻度によって従来のマスクより効果力を増してしかも上記記載の様に自由自在に調整できる仕様で有る事。）
○尚無臭等の消臭剤は男性や女性が気分の良くなる様な臭い付き消臭剤にしても良い。
○尚無臭の消臭剤に香水を付けたりする場合も有るのでデパートなどの化粧品売場でも販売員さんがアドバイスしながら販売する事ができる。
【図１】
0003222788.tif 000003
【手続補正書】
【提出日】平成31年3月19日(2019.3.19)
【手続補正１】
【補正対象書類名】実用新案登録請求の範囲
【補正対象項目名】全文
【補正方法】変更
【補正の内容】
【実用新案登録請求の範囲】
【請求項１】
構成の形状は［図面１］の「図１」に記載した様に上下が２枚に別れたマスクであり耳あてひもが４本が２本の耳あてひもになり消臭剤が上下２枚に入るすき間が２ヶ所有り呼吸がしやすい様にぴったりとすき間２ヶ所に入る消臭剤を入れる形状で基本仕様［図面１］の「図１」と変形仕様型でも良いとすることを特徴とするダブルマスク＋消臭剤２コセット入りの新しいタイプのダブルマスク。
【請求項２】
構成の構造は現在使用販売されているガーゼなどのマスクきじでマスクのひもも上記記載のマスクに使われている物でも良く構造が［図面１］の「図１」にしるした様になるのを特徴とするダブルマスク＋消臭剤２コセット入りの新しいタイプのダブルマスク。
【手続補正２】
【補正対象書類名】明細書
【補正対象項目名】全文
【補正方法】変更
【補正の内容】
【考案の詳細な説明】
【考案の詳細な説明】
【０００１】［明細書１］
［図面１］又は［考案の名称］内上記記載済の上下のマスクの２ヶ所上部のすき間に薄めの無臭等の消臭剤を入れたり出したりできる様その人の都合によってできる様になる（２個共とか１個だけとか２個共無しとか。又は１個残して上側の消臭剤と取り鼻呼吸を良くするとか２個共取りはずし１枚又は２枚を顎の首前にひっかける事により口鼻が自由自在に風邪ウィイルスＰＭ２．５黄砂花粉等の予防等を使用者の頻度によって従来のマスクより効果力を増してしかも上記記載の様に自由自在に調整できる仕様で有る事。）
○尚無臭等の消臭剤は男性や女性が気分の良くなる様な臭い付き消臭剤にしても良い。
○尚無臭の消臭剤に香水を付けたりする場合も有るのでデパートなどの化粧品売場でも販売員さんがアドバイスしながら販売する事ができる。
【図面の簡単な説明】
【０００２】
【図１】の簡単な説明は  上下に２枚となる新しいタイプのダブルマスクで呼吸がしやすい様な薄い消臭剤が上下に２コ出し入れ出来るのと４本のゴムが２本となり耳にかける耳あてゴムひもを要する新しいタイプのマスクであります。
【符号の説明】
【０００３】「１ａ」１  ［図面１］「図１」に記載済
「１ａ」２  ［図面１］「図１」に記載済
「１ｂ」１  ［図面１］「図１」に記載済
【手続補正書】
【提出日】令和1年6月3日(2019.6.3)
【手続補正１】
【補正対象書類名】実用新案登録請求の範囲
【補正対象項目名】全文
【補正方法】変更
【補正の内容】
【実用新案登録請求の範囲】
【請求項１】
構成の形状はマスクきじは長方形の形状が上下２段に別れたマスクで有り耳あてひもは４本が２本の耳あてひもになる構成で各長方形の形状の部分にそれぞれ消臭剤が入るすき間に前記消臭剤は呼吸がしやすい様に鼻と口の部分を薄く造ったことを特徴とするダブルマスク＋消臭剤２コセット入りの新しいタイプのダブルマスク。
(57)【要約】      （修正有）【課題】植木鉢と水受皿を一体化させた室内用の水受皿一体型植木鉢を提供する。【解決手段】植木鉢と一体になった受皿２の部分に溝３を設け、鉢１の内部の底に溝３に通じる穴４を設け、水遣り時の余分な水が鉢内部底の穴４を流れて溝３に溜り自然乾燥させる仕組を設けた。【選択図】図２
0003222790.tif 000002
【実用新案登録請求の範囲】
【請求項１】
（イ）  受皿と一体になった植木鉢（図２）の受皿２部分の上面に溝３を設ける。
（ロ）  鉢１の内部の底に溝３に通じる穴４を設ける。
（ハ）  鉢１の内部の植木鉢底の水滴が穴４を流れて溝３に溜まり自然乾燥させる仕組みを設ける。
以上の如く成型された、受皿一体型植木鉢
【考案の詳細な説明】
【技術分野】
【０００１】本考案は植木鉢と水受皿を一体化させた室内用の水受皿一体型植木鉢である。
【背景技術】
【０００２】従来の植木鉢は鉢と水受皿が別々に分かれるものが多く、植木への水遣りや取り扱いに不便を感じ、また、室内用の植木鉢としてはデザイン的にも乏しいものが多い。
【考案の概要】
【考案が解決しようとする課題】
【０００３】本考案は，植木鉢と受皿が一体となっていて、水遣りに際し余分な水は鉢１の底の穴４を通って溝３に溜まり自然乾燥させる仕組みを考案したものである。
本考案であれば、水遣りの際し遣りすぎて水が底に溜まり根腐れする心配もなく、鉢１と受皿２が一体となっているので鉢１と受皿２がバラケル心配はなく、簡単に動かせデザイン的にも多様性に富み、応接間のテーブルやホテルのロビーのカウンター上に置いたりして花と共に植木鉢のデザインを楽しむことも充分可能となる。
【課題を解決するための手段】
【０００４】本考案は，植木鉢と受皿が一体となっていて、水遣りに際し余分な水は鉢１の底の穴４を通って溝３に溜まり自然乾燥させる仕組みを考案したものである。
【考案の効果】
【０００５】本考案は、デザイン的にも多様性が可能で、応接間のテーブルやホテルのロビーのカウンター上に置いたりして花と共に植木鉢のデザインを楽しむことも充分可能となる。
花瓶による切り花なら４〜５日、長くとも一週間程度の寿命であるが、本考案の植木鉢なら切花ではなく根付きの状態で設置出来るので花屋さんで買ってきた花の苗用ポットをそのまま鉢に納めれば植替える必要もなく、誰でも簡単に取り扱うことができ、花の寿命も２〜３週間、管理次第で一シーズン花を楽しむことが出来る。
【図面の簡単な説明】
【０００６】
【図１】本考案の正面図
【図２】本考案の背面図と隠れ線
【図３】本考案の側面図と隠れ線
【図４】本考案の平面図
【図５】本考案の正面断面図
【図６】本考案の正面断面図に花と苗用ポットを置いたイメージ図
【写真の簡単な説明】
【０００７】
【写真１】
本考案の実施例を示す正面写真
【写真２】
本考案の正面写真に花と苗用ポットを置いた参考写真
【産業上の利用の可能性】
【０００８】本案が普及することで、応接間のテーブルやホテルのロビーのカウンター上に切り花の花瓶ではなく、長持ちのする根付き花の植木鉢を置くことができ、植木鉢にデザイン性を持たせることが出来れば、花と共に植木鉢の美を楽しむことも可能となり新たな市場が生まれる。
また、本考案は、基本的には市販の苗用ポットが収容できる大きさを想定しており、花屋さんで買ってきた花の苗用ポットをそのまま鉢に納めれば植替える必要もなく、誰でも簡単に取り扱うことができる。勿論、本考案への直植えも可能であるが、この様に本考案が普及すれば苗用ポットも観賞用花用ポットとして新しい市場が開ける。
【符合の説明】
【０００９】１は鉢
２は水受皿
３は溝
４は穴
５は花と苗用ポット
【図１】
0003222790.tif 000003
【図２】
0003222790.tif 000004
【図３】
0003222790.tif 000005
【図４】
0003222790.tif 000006
【図５】
0003222790.tif 000007
【図６】
0003222790.tif 000008
【図７】
0003222790.tif 000009
【図８】
0003222790.tif 000010
【図９】
0003222790.tif 000011
【図１０】
0003222790.tif 000012
【図１１】
0003222790.tif 000013
【図１２】
0003222790.tif 000014
【図１３】
0003222790.tif 000015
【図１４】
0003222790.tif 000016
【図１５】
0003222790.tif 000017
【図１６】
0003222790.tif 000018
【図１７】
0003222790.tif 000019
【図１８】
0003222790.tif 000020
【手続補正書】
【提出日】令和1年6月17日(2019.6.17)
【手続補正１】
【補正対象書類名】実用新案登録請求の範囲
【補正対象項目名】全文
【補正方法】変更
【補正の内容】
【実用新案登録請求の範囲】
【請求項１】
（イ）受皿と一体になった植木鉢の受皿２部分の上面に溝３を設け、
（ロ）鉢１の内部の底に溝３に通じる穴４を設け、
（ハ）鉢１の内部の植木鉢底の水滴が穴４を流れて溝３に溜まり自然乾燥させる仕組みを設けたことを特徴とする水受皿一体型植木鉢。
【手続補正２】
【補正対象書類名】明細書
【補正対象項目名】０００６
【補正方法】変更
【補正の内容】
【０００６】
【図１】本考案の正面図
【図２】本考案の背面図と隠れ線
【図３】本考案の側面図と隠れ線
【図４】本考案の平面図
【図５】本考案の正面断面図
【図６】本考案の正面断面図に花と苗用ポットを置いたイメージ図
【図７】本考案の正面図
【図８】本考案の背面図と隠れ線
【図９】本考案の側面図と隠れ線
【図１０】本考案の平面図
【図１１】本考案の正面断面図
【図１２】本考案の正面断面図に花と苗用ポットを置いたイメージ図
【図１３】本考案の正面図
【図１４】本考案の背面図と隠れ線
【図１５】本考案の側面図と隠れ線
【図１６】本考案の平面図
【図１７】本考案の正面断面図
【図１８】本考案の正面断面図に花と苗用ポットを置いたイメージ図
(57)【要約】      （修正有）【課題】網を簡単に着脱でき、しかも、外れない安定した取付け状態が得られる開閉式網窓を提供する。【解決手段】押出形材で枠組みされた大口開放形の大枠１と、チャンネル形材で枠組みされた一回り小さい網戸枠３とからなるとともに、その間に相互に吸引する帯板状の主副両磁石を介在させてあり、大枠は、各枠材の内側に縁突片が設けられ、縁突片の一面に長手方向に沿って主磁石１１を接着して取り付けてあり、網戸枠３は、コーナーブロック１５を介して縦横チャンネル形材で枠組みされ、その枠組みに防虫網を張り付け、その張りつけにつき、副磁石１７を押縁として防虫網の端部をチャンネル形材に押し込むことで嵌着してある。【選択図】図１
0003222559.tif 000002
【実用新案登録請求の範囲】
【請求項１】
押出形材で枠組みされた大口開放形の大枠と、チャンネル形材で枠組みされた一回り小さい網戸枠とからなるとともに、その間に相互に吸引する帯板状の主副両磁石を介在させてあり、大枠は、各枠材の内側に縁突片が設けられ、縁突片の一面に長手方向に沿って主磁石を接着して取り付けてあり、網戸枠は、コーナーブロックを介して縦横チャンネル形材で枠組みされ、その枠組みに防虫網を張り付け、その張りつけにつき、副磁石を押縁として防虫網の端部をチャンネル形材に押し込むことで嵌着してあることを特徴とする開閉式網窓。
【請求項２】
コーナーブロックは、網戸枠の隅角に当たる略三角形状であって、裏面に縦横チャンネル形材がそれぞれ嵌る嵌着溝が形成されていることを特徴とする請求項1記載の開閉式網窓。
【考案の詳細な説明】
【技術分野】
【０００１】
この考案は、外壁に設けた窓枠ばかりでなく網戸の上半部又は下半部等を対象の窓枠として、その窓枠を防虫網で開閉可能にした開閉式網窓に関する。
【背景技術】
【０００２】
従来、網窓は、矩形の窓枠に網を張り付けたもので、その手段として窓枠に内縁に沿って蟻溝を具備しておき、網の端部を蟻溝にゴム紐の押縁で押し込んで止められる。したがって、枠体には網が全周で一体であって、取り外す場合には、ゴム紐を引き出す面倒な作業が必要であった。
【考案の概要】
【考案が解決しようとする課題】
【０００３】
網窓は、害虫の侵入を防止するために設置されるが、季節によってはその必要に乏しいことがあり、また、一日のうちでもペットの帰りを待つため等の事情から開放しておきたい場合がある。しかし、防虫網を取り外すには押縁を着脱する極めて困難な作業となるという問題があった。
【０００４】
この考案は、上記のような実情に鑑みて、網を簡単に着脱でき、しかも、外れない安定した取付け状態が得られる開閉式網窓を提供することを課題とした。
【０００５】
上記の課題を解決するために、この考案は、押出形材で枠組みされた大口開放形の大枠と、チャンネル形材で枠組みされた一回り小さい網戸枠とからなるとともに、その間に相互に吸引する帯板状の主副両磁石を介在させてあり、大枠は、各枠材の内側に縁突片が設けられ、縁突片の一面に長手方向に沿って主磁石を接着して取り付けてあり、網戸枠は、コーナーブロックを介して縦横チャンネル形材で枠組みされ、その枠組みに防虫網を張り付け、その張りつけにつき、副磁石を押縁として防虫網の端部をチャンネル形材に押し込むことで嵌着してあることを特徴とする開閉式網窓を提供する。
【０００６】
開閉式網窓を上記のように構成したから、防虫網が「閉」の状態においては、大枠の縁突片に網戸枠が重なって、主副磁石の吸引によりその状態が保持される。開くときには、網戸枠の枠材を摘まんで引き出すようにするが、枠材がリブ構造の安定したチャンネル形材であるため、矩形の形を保持したまま確実に外すことができる。また、取り付けるときも、矩形を保つことができるため、主副磁石を具合よくあてながら取付けも容易になしうる。また、網を掃除をするときは、網戸枠を取り外して片手で矩形の枠に保持したまま網の隅々を洗浄できる。
【考案の効果】
【０００７】
以上説明したように、この考案の開閉式網窓によれば、大枠と網戸枠とが磁石の力で強力に合体し、一体化により防虫網として害虫の侵入を確実に防止しうることはもちろん、網戸枠を枠の形のまま都合よく取り外すことができ、片手で枠を取ってシャワーを浴びせる要領の良い洗浄の仕方が可能であり、網戸枠が型崩れしない安定した枠型のため着脱作業も至って容易であるという優れた効果がある。
【図面の簡単な説明】
【０００８】
【図１】この考案の開閉式網窓を一部切欠いて示す正面図である。
【図２】同開閉式網窓の一部を拡大して示す分離斜視図である。
【図３】図１のA-A線矢視の拡大断面図である。
【図４】同矢視において網戸枠が開いたときの断面図である。
【図５】大枠と網戸枠とを上下に配置して示す開閉式網窓の正面図である。
【考案を実施するための形態】
【０００９】
この考案は、原則的に言えば、家屋の外壁に開けた窓孔に嵌着して使用されものとして実施する。しかし、縦框と横框により組立てられ中桟を有する引き戸又はドアの構造としても実施できる。ちなみに、この場合、縦框、横框、中桟に囲まれた部分が大枠１となり、その内周に縁突片９が備えられる。なお、このとき中桟の上下が大枠１，１となり、それぞれに網戸枠３，３を嵌めることができる。
【実施例】
【００１０】
図面は一実施例を示したもので、その開閉式網窓Pは、家屋の外壁に設けた窓孔に嵌着され、取付の主体となる大枠１とそれに嵌る網戸枠３との組み合わせからなり、網戸枠３が矩形のまま着脱可能である。
【００１１】
大枠１は、左右縦枠５，５と上下枠７，７との枠組み体であって、縦枠５から上下枠７，７にビスを螺入することにより枠組みされる。各縦横枠５，５，７，７には縁突片９，９，９，９が突設され、それぞれの室内側面に帯板状のプラスチックの主磁石１１，１１，１１，１１が接着され、これが矩形の配置となっている。
【００１２】
網戸枠３は、主磁石１１の矩形の配置に重なる矩形の枠組みであって、それには蟻溝形態のチャンネル形材１３，１３，１３，１３が用いられ、各隅角では薄型のコーナーブロック１５、１５，１５，１５が連結に介在している。各チャンネル形材１３にはプラスチックの副磁石１７が嵌着され、これが押縁として防虫網３の端部とともにチャンネル形材の溝内に押さえ止められる。また、押縁として防虫網３が抜けないようにするために磁石１７の底面に防虫網３を押え止める脚部１９，１９が突設される。なお、チャンネル形材１３は、裏側に開口する面に磁石１７が露出している。
【００１３】
コーナーブロック15は、薄型において略三角形に形成され、裏面には縦横チャンネル形材１３、１３が嵌着される凹溝２１，２１が設けられ、コーナーブロック１５においても、主副両磁石１１，１７が直接接合するようになっている。
【符号の説明】
【００１４】
P  網窓
１  大枠
３  網戸枠
５  縦枠
７  上下枠
９  縁突片
１１  主磁石
１３  チャンネル形材
１５  コーナーブロック
１７  副磁石
１９  脚部
【図１】
0003222559.tif 000003
【図２】
0003222559.tif 000004
【図３】
0003222559.tif 000005
【図４】
0003222559.tif 000006
【図５】
0003222559.tif 000007
(57)【要約】      （修正有）【課題】観葉植物を狭い室内でも沢山飾り楽しめるようにするために、植木鉢を天井や壁から吊り、任意の数の鉢を簡単に連結し吊れるようにし、シンプルな構成で安価に製作できる植木鉢の連結式吊り具を提供する。【解決手段】観葉植物を入れた複数の植木鉢を天井から吊り下げ飾れるように、植木鉢を支持するドーナツ状の板２の吊り下げロープ１に連結吊り具４を取り付け、さらに複数の鉢に連結式吊り具５を取り付け各連結吊り具をつなげることで複数の植木鉢を吊り下げられるようにする。【選択図】図１
0003222520.tif 000002
【実用新案登録請求の範囲】
【請求項１】
観葉植物を複数のを植木鉢に入れ天井から吊り下げ飾るために、複数の鉢の一番はじめに天井から吊す植木鉢に吊り下げロープと連結部材を取り付け、次に吊す２番目、３番目と任意の数の植木鉢に連結具を取り付け、１番目の鉢に取り付けた吊り下げロープに付けた連結部材と２番目の連結部材を連結させ、さらに２番目と３番目の連結具を連結させることで複数の植木鉢に観葉植物を入れ吊り下げられることを特長とした植木鉢の連結式吊り具。
【考案の詳細な説明】
【技術分野】
【０００１】本考案は、植木鉢に関するものである。
【背景技術】
【０００２】従来より、植木鉢は床置きタイプ、壁掛けタイプ、吊りタイプのものがあり給水方式、鉢の素材、デザイン共に工夫を凝らし製造されており、吊りタイプにおいても鉢が入る穴を開けた板を３段及び４段連結したもので植物を飾れるようにしたものやワイヤー製の鉢カバーをワイヤーで２個連結したワイヤーバスケットが販売されている。
【考案の概要】
【考案が解決しようとする課題】
【０００３】観葉植物をを狭い室内でも沢山飾れるようにするために、植木鉢を天井や壁から吊り、任意の数の鉢を簡単に連結し観葉植物を吊り飾り楽しめるようにし、植木鉢の連結式吊り具をシンプルな構成で制作し安価に顧客に提供する。
【課題を解決するための手段】
【０００４】本考案にかかる植木鉢の連結式吊り具において、連結式吊り具の一部である鉢を受けるための平たいドーナツ状の板を設け、平たいドーナツ状の穴にテーパーの付いた鉢の上部が引っかかるようにし、ドーナツ状の板を吊るために、ドーナツ状の板の端に一点の穴を開け、もう１つの穴を開けた穴の直径の端点に穴を開け、二つの各穴の上から任意の長さのロープの各端を通し、穴に通したロープの端を丸め固定し、ドーナツ状の板がロープから抜けないようし、さらに下に連結するためのＳ管を引っかける部材とし、ロープの中央を天井から吊り下げる点とし、ロープの中央を天井から吊るすことでドーナツ状の板が支えられドーナツ状の板に開けた穴に植木鉢入れて植木鉢を吊り下げる。【０００５】そして、吊した植木鉢の下に新たな鉢を吊り連結するために、鉢を受けるための、前記二つの穴を開けたドーナツ状の板に任意の長さの二本のロープを各穴に通し、各ロープの端を丸め固定し連結するためのＳ管を引っかけられるようにし、ドーナツ状の板の上にでているロープの端を丸め固定した部分にＳ管を取り付け、はじめに吊したドーナツ状の板の裏にでているロープを丸め固定している連結輪にＳ管を引っかけ連結し、ドーナツ状の板の穴に植木鉢を入れる。【０００６】さらに、２番目に吊るした植木鉢の下にさらに植木鉢を吊すために、２番目に吊した植木鉢に取り付けたドーナツ状の連結具の裏にでているロープを丸め固定している部分に３番目の植木鉢に取り付けるドーナツ状の連結具の上部のロープを丸め固定している部分にＳ管を付け連結させる。このようにして４番目、５番目と連結する。
【考案を実施するための形態】
【０００７】以下に本考案にかかる植木鉢の連結式吊り具を、その実施の形態を示した図面に基づいて詳細に説明する。
図１は植木鉢の連結式吊り具の平面図で、天井から吊すための吊り下げロープ１で、天井より吊り下げロープ１を下げることによりドーナツ状の板２の裏にあるストッペー兼連結輪４によりドーナツ状の板２が水平に保たれドーナツ状の中の穴３に植木鉢を落としこむ。
【０００８】さらに２番目に吊り下げる植木鉢の連結式吊り具５のドーナツ状の板に取り付けた連結輪７にＳ管６を取り付け、Ｓ管をはじめに吊した植木鉢の連結式吊り具２に取り付けたストッペー兼連結輪４に引っかけ連結し、任意の個数の植木鉢の連結式吊り具を連結する。
【０００９】図２は植木鉢の連結式吊り具の実施例の斜視図で、天井から吊すための吊り下げロープ１でドーナツ状の板２を吊った状態で、ドーナツ状の板２の中の穴３に植木鉢８を落とし入れた状態で、１番目の植木鉢の連結式吊り具から２番目に吊したドーナツ状の板に植木鉢及び観葉植物を入れた状態である。
【００１０】ドーナツ状の板２であるが、木や樹脂で材質は限定するものではない、また形状であるが楕円形や四角等の形に限定するものではなく、板の中に開ける穴も丸に限定するものではなく、例えは鉢が四角なら四角い穴にする。
【００１１】また、吊り下げロープ１であるが、強度、耐久性などを考慮しワイヤーロープを使用し、連結具の部材となるロープの端を丸めて連結輪を作るが連結輪を丸め固定するためにワイヤーロープ用の固定具のシンプルを使用し固定する。
【００１２】さらに、吊り下げる素材であるがロープ以外の素材に金属製の鎖や金属製の線材やナイロンワイヤーを使用してもよく、素材を限定するものではない。
【考案の効果】
【００１２】植木鉢に連結具を取り付けることで、複数の観葉植物を吊り飾り楽しむことができ、シンプルな構成で制作でき安価に顧客に提供することができる。
【図面の簡単な説明】
【００１３】
【図１】本考案にかかる植木鉢の連結式吊り具を５鉢分つなぎ、天井から吊す前の一例である実施例の平面図である
【図２】前記の植木鉢の連結式吊り具の一例である実施例の斜視図である。
【符号の説明】１  吊り下げロープ
２  ドーナツ状の板
３  ドーナツ状の板に開けた穴
４  ストッペー兼連結輪
５  Ｓ管
６  植木鉢
７  観葉植物
【図１】
0003222520.tif 000003
【図２】
0003222520.tif 000004
(57)【要約】      （修正有）【課題】運動や作業など激しい体の動きにも対応できるものであって、安価、簡便、衛生的な尿取りパットを提供する。【解決手段】陰茎全体をパットで挟んで包むことで、尿をパットの外に漏らさない、パットが脱落しない男性用尿取りパットである。具体的な手段は、パットの中央に亀頭９（尿道口）をあてがい、カリ首（亀頭溝）ないし陰茎の胴１０をソフトで伸縮性のあるゴム状の不織布の帯７で巻いてグリップする。次にパットを二つ折りにして亀頭を挟み、上下のパットの内側に付いている吸着性弾性材４（クッション）を陰茎の胴に接着、陰茎全体を包んで織ゴムバンドを巻いて面ファスナー３で留める尿取りパットである。製品化する場合は、パットと織ゴムバンド、吸着性弾性材（クッション）、面ファスナー、ゴム状の不織布の帯は一体で成型し、素材は肌に害のない衛生的で優しいものとする。【選択図】図３
0003222531.tif 000002
【実用新案登録請求の範囲】
【請求項１】
尿吸収パットを二つ折りにして陰茎を包むパットに関して、吸着性弾性材（クッション）、ゴム状の不織布の帯、織ゴムバンド、面ファスナー、面ファスナーつきの織ゴムバンドを備えた男性用尿取りパット。
【考案の詳細な説明】
【技術分野】
【０００１】  軽度の尿失禁に対応した尿吸収パットで、陰茎の亀頭をパットの中程にあてがい、そのパットを二つ折りにして陰茎全体を包む方法の尿取りパットに関するものである。
【背景技術】
【０００２】  従来の男性用尿吸収パットは、シート状や袋状で下着に貼り付けるものやサックタイプで陰茎や陰嚢を挿入する形のものなどがあった。
【先行技術文献】
【特許文献】
【０００３】
【特許文献１】特開  ２０１９−０１７９７０
【特許文献２】特開  ２０１８−１９６５５６
【特許文献３】実登  ３１８６５４３
【特許文献４】特開  ２０１３−０８５９３５
【特許文献５】特開  ２００５−１７７４１１
【特許文献６】特許  ６１９６３９２
【考案の概要】
【考案が解決しようとする課題】
【０００４】  従来のものは、運動や作業のほか日常生活において体の動きにより尿が下着やズボンに滲み出したりパットが脱落したりした。また、尿を含んだパットと陰茎や陰嚢が擦れて下着や陰部周辺に尿が付着、さらには亀頭の溝に恥垢がたまり匂ったり痒みがでたりした。また、装着、放尿や取換えが簡便に行えないなどの問題があった。
【課題を解決しようとする手段】
【０００５】  陰茎全体を直にパットで包むことで、どんな姿勢や激しい動きをしても滲み出したり脱落することがないようにするものである。その手段は、亀頭（尿道口）をパットの中央にあてがい、カリ首（亀頭溝）ないし陰茎の胴をソフトで伸縮性のあるゴム状の不織布の帯（２０ｍｍ×１００ｍｍ）で巻いてグリップ、パットを上下二つに折り曲げて亀頭を挟み、その内側についている吸着性弾性材（クッション）（２０ｍｍ×５０ｍｍ）で陰茎の胴に接着、陰茎全体を挟んで包み織ゴムバンドを巻いて布ファスナー（４０ｍｍ×２０ｍｍ）で留めることで課題の解決を図る。なお、付属品の部材は、吸着性弾性材（クッション）をパットの縦上下の端に貼り付け、ゴム状の不織布の帯をパットのやや中央に取り付け、パットを裏向きにして縦の一方の端に織ゴムバンドを横向きにつけもう一方の端に面ファスナーを横向きに貼りつける。先の織ゴムバンドの両端には面ファスナー（１０ｍｍ×２０ｍｍ）を貼り付ける。パットは透過性の表面シート、吸水体、不透過性の裏面シートを具備し、折り曲げや横漏れに対応するべく吸水体のまわりにギャザーや立体ギャザーを設ける。素材は、肌に害のない衛生的で優しいものとすることで、クオリティのさらなる向上を図る。
【考案の効果】
【０００６】  本考案は、陰茎をパットで直に包み尿を吸い取るので、日常生活は勿論運動や作業をしている時でも、脱落したり尿が下着やズボンに滲み出したりせず、また尿を含んだパットと陰茎や陰嚢が擦れることがなく、痒みや匂いを防ぐことができ快適に着用できる。また、装着や放尿も簡便であり、コンパクトで安価に仕上がるため、尿漏れの度合いによって適宜何回でも取り換え処分ができる経済的で衛生的な尿とりパットが提供できる。
【図面の簡単な説明】
【０００７】
【図１】  パット縦長、表面の展開図である。
【図２】  パットを上下二つ折りにした図である。
【図３】  パットを装着するところの図である。
【図４】  図３に記載の織ゴムバンドと面ファスナーの図である。
【図５】  装着したところの断面図である。
【考案を実施するための形態】
【０００８】  本考案は、陰茎を直にパットで挟んで包んでしまうところが特徴で、パットの中央に亀頭（尿道口）を直接あてがい、陰茎の胴を不織布の帯で巻いてグリップ、上下二つに折り曲げて亀頭を挟み、吸着性弾性材（クッション）で陰茎の胴に接着、陰茎全体を包み、織ゴムバンドと面ファスナーで留めるものである。
【実施例】
【０００９】    以下、転付図面に従って実施例を説明する。
図１は、パットを縦長にした表面の展開図である。縦中央の両端に「折り曲げ」や「横漏れ」に対応するべくギャザー（５）や不透過性の立体ギャザー（６）を施し、上下の端に吸着性弾性材（クッション）（４）をつけ、パットのやや中央にゴム状の不織布の帯（７）をつけている。図２はパットを二つ折りにしたところで、パット裏面の縦長の一方の端に面ファスナー（３）を貼り付け、もう一方の端に織ゴムバンド（図４）を取り付けている。図３は、パットに亀頭を挟もうとしているところで、カリ首（亀頭溝）ないし陰茎の胴をソフトで伸縮性のあるゴム状の不織布の帯（７）で巻いてグリップ、折り返した上下のパットに織ゴムバンド（図４）を巻き付けて面ファスナー（３）で留めるところである。図４は、織ゴムバンドに面ファスナーを貼り付けたところである。図５は、パットを陰茎に装着したところの正面からの断面図である。
【符号の説明】
【００１０】  １      パット本体
２      吸水体
３      面ファスナー
４      吸着性弾性材（クッション）
５      ギャザー
６      立体ギャザー
７      ゴム状の不織布の帯
８      織ゴムバンド
９      亀頭
１０    陰茎の胴
【図１】
0003222531.tif 000003
【図２】
0003222531.tif 000004
【図３】
0003222531.tif 000005
【図４】
0003222531.tif 000006
【図５】
0003222531.tif 000007
(57)【要約】      （修正有）【課題】積み木に時計を組み込むことで積み木遊びを終えた後も時計付き積み木とその他の積み木を組み合わせ飾り置くことで時計としても使える積み木を制作し顧客に提供する。【解決手段】複数の形の積み木の内の１つに時計１のムーブメントを組み込み、時計を組み込んだ積み木とその他の複数の積み木を組み合わせることで、時計塔を模した複数の異なる時計塔の形を作り楽しめ、また組み合わせて作った時計塔を飾り置くことで時計の機能を持ち合わせることができ、また複数の積み木収納箱２の一部に時計の文字盤と同じ大きさの穴を開け、時計付きの積み木を箱に開けた穴の位置にセットし、その他の積み木も箱に収納し飾り置く。【選択図】図１
0003222521.tif 000002
【実用新案登録請求の範囲】
【請求項１】
木やプラスティック等の材料でできた複数の直方体や三角柱や円柱等の形をしたもので、積み重ねたり、並べたり、崩したりして遊ぶ積み木と積み木を収納する箱において、複数の形の積み木の内の１つに時計のムーブメントを組み込み、時計を組み込んだ積み木とその他の複数の積み木を組み合わせることで、時計塔を模した複数の異なる時計塔の形を作り楽しめ、また組み合わせて作った時計塔を飾り置くことで時計として使うことができ、また複数の積み木を収納する箱の一部に時計の文字盤と同じ大きさの穴を開け、時計付きの積み木を箱に開けた穴の位置にセットしその他の積み木も箱に収納し箱を飾り置くことで時計として使えることを特長とした積み木時計。
【考案の詳細な説明】
【技術分野】
【０００１】本考案は、積み木玩具に関するものである。
【背景技術】
【０００２】従来より、幼児向け玩具として根強い人気のある積み木であり、形のバリエーションも増え着色したもの絵を施したものなどがあり多くの人々にしたしまれている。
また、時計とブロックをアリ溝で結合出来るようにし複数のブロックを組み合わせることで動物の形を作るブロック時計（特許文献１参照）の考案がある。また、複数のブロックで構成された目覚まし時計で、ラーム音が発するとブロックの一部が分解し、元に組み直すとアラーム音が停止する目覚まし時計（特許文献２参照）の考案がある。
【先行技術分野】
【０００３】
【特許文献】
【０００４】
【特許文献１】特許文献１実開昭５０−７３４６１
【特許文献２】特許文献２実願平４−１５０９３
【発明が解決しようとする課題】
【０００５】積み木玩具は知育玩具としても有意義なものであるが、飽きてしまった場合など物置などにしまいこまれてしまう場合が多いが、木製の積み木は美しくオブジェとして飾ったり、時計をプラスすることで物置にしまいこまれてしまうことが無いような積み木を制作し顧客に提供する。
【課題を解決するための手段】
【０００６】本考案にかかる積み木時計において、複数の形の積み木の内の１つに時計のムーブメントを組み込み、時計を組み込んだ積み木とその他の複数の積み木を組み合わせることで、時計塔を模した複数の異なる時計塔の形を作り楽しめるようにし、また組み合わせて作った時計塔を飾り置くことで時計として使えるようし、また複数の積み木のを収納する箱の一部に時計の文字盤と同じ大きさの穴を開け、時計付きの積み木を箱に開けた穴の位置にセットし、その他の積み木も箱に収納することで、積み木遊びを終えた後も、箱を飾り置くことで時計として使えるようにする。
【考案を実施するための形態】
【０００７】以下に、本考案にかかる積み木時計を、その実施の形態を示した図面に基づいて詳細に説明する。
図１は積み木時計の正面図で、積み木収納箱２の正面に箱の中に収納した時計が見えるように穴を開けた箱である。
図２は前記積み木時計の収納箱の蓋を開けた状態を示す正面図である。１は本考案に係わる積み木時計であり、時計及び積み木を収納する箱の蓋をはずした箱２であり、時計を箱の正面に開けた穴の位置に納めたもので去る。
図３、図４、図５、図６は前記積み木時計の平面図であ、図に示したように時計を組み込んだ積み木と積み木の組み合わせで色々な形状の時計塔を模した形ができ飾り置き、時計として使用することができるものである。
【発明の効果】
【０００８】積み木に時計を組み込むことで、、時計塔を模した複数の異なる時計塔の形を作り楽しめ、また組み合わせて作った時計塔を飾り置くことで時計の機能を持ち合わせることができ、また積み木遊びをしながら時計の学習が出来、さらに複数の積み木のを収納する箱の一部に時計の文字盤と同じ大きさの穴を開け、時計付きの積み木を箱に開けた穴の位置にセットし、その他の積み木も箱に収納することで、積み木遊びを終えた後も、箱を飾り置くことで時計として使うことができる。
【図面の簡単な説明】
【０００９】
【図１】図１は本考案にかかる積み木時計の積み木収納箱に時計、積み木を収納した箱の実施例の一例の正面図である。
【図２】図２前記積み木時計の積み木収納箱の盖を開けた状態の正面図である。
【図３】図３、図４、図５、図６は前記積み木時計の時計を組み込んだ積み木と積み木の組み合わせて時計塔を模した形を示す平面図である。、
【図４】図３、図４、図５、図６は前記積み木時計の時計を組み込んだ積み木と積み木の組み合わせて時計塔を模した形を示す平面図である。、
【図５】図３、図４、図５、図６は前記積み木時計の時計を組み込んだ積み木と積み木の組み合わせて時計塔を模した形を示す平面図である。、
【図６】図３、図４、図５、図６は前記積み木時計の時計を組み込んだ積み木と積み木の組み合わせて時計塔を模した形を示す平面図である。、
【符号の説明】１  時計
２  積み木収納箱
３  積み木
４  時計を組み込んだ積み木
【図１】
0003222521.tif 000003
【図２】
0003222521.tif 000004
【図３】
0003222521.tif 000005
【図４】
0003222521.tif 000006
【図５】
0003222521.tif 000007
【図６】
0003222521.tif 000008